(57)【特許請求の範囲】
【請求項１】
フィールド内線形補間処理によって、フィールド内垂直ズーム画像を生成するフィールド内垂直ズーム画像生成手段、
フィールド間線形補間処理によって、フレーム内垂直ズーム画像を生成するフレーム内垂直ズーム画像生成手段、
画像データに基づいて、垂直方向の相関が弱い領域を抽出する垂直相関弱領域抽出手段、
所定単位の領域毎に、その領域の画像が静止している可能性を検出する静止可能性検出手段、ならびに
垂直相関弱領域以外の領域または垂直相関弱領域でかつ画像が静止している可能性が低い領域に対しては、フィールド内垂直ズーム画像のみを選択して出力し、垂直相関弱領域でかつ画像が静止している可能性が高い領域に対しては、フレーム内垂直ズーム画像を選択して出力する手段を備えている電子ズーム回路。
【請求項２】
フィールド内線形補間処理によって、フィールド内垂直ズーム画像を生成するフィールド内垂直ズーム画像生成手段、
フィールド間線形補間処理によって、フレーム内垂直ズーム画像を生成するフレーム内垂直ズーム画像生成手段、
画像データに基づいて、垂直方向の相関が弱い領域を抽出する垂直相関弱領域抽出手段、
所定単位の領域毎に、その領域の画像が静止している可能性を検出する静止可能性検出手段、ならびに
垂直相関弱領域以外の領域に対しては、フィールド内垂直ズーム画像のみを選択して出力し、垂直相関弱領域においては、画像が静止している可能性に応じて、フィールド内垂直ズーム画像とフレーム内垂直ズーム画像とを加重加算する加重加算手段を備えている電子ズーム回路。
【請求項３】
垂直相関弱領域抽出手段は、
注目画素を含むＮフィールド目の画像データならびにＮ−１フィールド目およびＮ＋１フィールド目の画像データに基づいて、注目画素とその周辺画素との相関値を算出する手段、ならびに
算出された各相関値に基づいて、注目画素領域が垂直方向に相関が弱い領域か否かを判定する手段を備えている請求項１および２のいずれかに記載の電子ズーム回路。
【請求項４】
静止可能性検出手段は、
注目画素がＮフィールド目の画像データである場合において、Ｎ−１フィールド目およびＮ＋１フィールド目の画像データであって、注目画素領域の周辺画素における対応する画素どうしの相関値を算出する手段、ならびに
算出された各相関値に基づいて、上記注目画素領域の画像が静止している可能性を検出する手段、
を備えている請求項１、２および３のいずれかに記載の電子ズーム回路。
【発明の詳細な説明】
【０００１】
【発明の属する技術分野】
この発明は、ＣＣＤカラーカメラ等に用いられる電子ズーム回路に関する。
【０００２】
【従来の技術】
従来のＣＣＤカラーカメラの電子ズーム回路においては、フィールド内で線形補間処理を行なうことにより、ズーム映像を生成していた。従来の電子ズーム回路では、ズーム映像の垂直解像度が低いという問題があった。
【０００３】
ズーム映像の垂直解像度を上げるために、ＯＤＤ／ＥＶＥＮの２フィールド間での線形補間処理を行なってズーム画像を生成することが考えられるが、このようなズーム画像を使用すると垂直解像度は向上するが、動きのある領域に対して動ボケが発生してしまう。
【０００４】
【発明が解決しようとする課題】
この発明は、垂直解像度の高いズーム映像が得られかつ動ボケの発生を防止できる電子ズーム回路を提供することを目的とする。
【０００５】
【課題を解決するための手段】
この発明による第１の電子ズーム回路は、フィールド内線形補間処理によって、フィールド内垂直ズーム画像を生成するフィールド内垂直ズーム画像生成手段、フィールド間線形補間処理によって、フレーム内垂直ズーム画像を生成するフレーム内垂直ズーム画像生成手段、画像データに基づいて、垂直方向の相関が弱い領域を抽出する垂直相関弱領域抽出手段、所定単位の領域毎に、その領域の画像が静止している可能性を検出する静止可能性検出手段、ならびに垂直相関弱領域以外の領域または垂直相関弱領域でかつ画像が静止している可能性が低い領域に対しては、フィールド内垂直ズーム画像のみを選択して出力し、垂直相関弱領域でかつ画像が静止している可能性が高い領域に対しては、フレーム内垂直ズーム画像を選択して出力する手段を備えていることを特徴とする。
【０００６】
この発明による第２の電子ズーム回路は、フィールド内線形補間処理によって、フィールド内垂直ズーム画像を生成するフィールド内垂直ズーム画像生成手段、フィールド間線形補間処理によって、フレーム内垂直ズーム画像を生成するフレーム内垂直ズーム画像生成手段、画像データに基づいて、垂直方向の相関が弱い領域を抽出する垂直相関弱領域抽出手段、所定単位の領域毎に、その領域の画像が静止している可能性を検出する静止可能性検出手段、ならびに垂直相関弱領域以外の領域に対しては、フィールド内垂直ズーム画像のみを選択して出力し、垂直相関弱領域においては、画像が静止している可能性に応じて、フィールド内垂直ズーム画像とフレーム内垂直ズーム画像とを加重加算する加重加算手段を備えていることを特徴とする。
【０００７】
上記第１または第２の電子ズーム回路における垂直相関弱領域抽出手段として、たとえば、注目画素を含むＮフィールド目の画像データならびにＮ−１フィールド目およびＮ＋１フィールド目の画像データに基づいて、注目画素とその周辺画素との相関値を算出する手段、ならびに算出された各相関値に基づいて、注目画素領域が垂直方向に相関が弱い領域か否かを判定する手段を備えているものが用いられる。
【０００８】
上記第１または第２の電子ズーム回路における静止可能性検出手段としては、たとえば、注目画素がＮフィールド目の画像データである場合において、Ｎ−１フィールド目およびＮ＋１フィールド目の画像データであって、注目画素領域の周辺画素における対応する画素どうしの相関値を算出する手段、ならびに算出された各相関値に基づいて、上記注目画素領域の画像が静止している可能性を検出する手段を備えているものが用いられる。
【００１１】
【発明の実施の形態】
以下、図面を参照して、この発明の実施の形態について説明する。
【００１２】
〔１〕ＣＣＤカメラの電子ズーム回路の全体的な構成の説明
【００１３】
図１は、ＣＣＤカメラの電子ズーム回路の構成を示している。
ＣＣＤカメラの電子ズーム回路は、図示しない色分離回路によって得られた輝度信号Ｙに対して電子ズーム処理を行なう電子ズーム回路と、図示しない色分離回路によって得られた色信号Ｃに対して電子ズーム処理を行なう電子ズーム回路とから構成されている。
【００１４】
輝度信号Ｙは、第１のフィールドメモリ１１に蓄積される。第１のフィールドメモリ１１に１フィールド分の輝度信号が蓄積されると、第１のフィールドメモリ１１内の輝度信号は第２のフィールドメモリ１２に送られて蓄積される。第２のフィールドメモリ１２に１フィールド分の輝度信号が蓄積されると、第２のフィールドメモリ１２内の輝度信号は第３のフィールドメモリ１３に送られて蓄積される。
【００１５】
したがって、第２のフィールドメモリ１２にＮフィールドの輝度信号が蓄積されたときには、第１のフィールドメモリ１１にはＮ＋１フィールドの輝度信号が、第３のフィールドメモリ１３にはＮ−１フィールドの輝度信号が蓄積される。
【００１６】
第１のフィールドメモリ１１から出力されるＮ＋１フィールドの輝度信号は、入力信号を１Ｈ（１水平期間）遅延させるためのラインメモリ２１、フレーム内垂直ズーム回路３１、垂直相関弱領域抽出回路３３および静止可能性検出回路３４に送られる。ラインメモリ２１によって１水平期間遅延された輝度信号は、フレーム内垂直ズーム回路３１、垂直相関弱領域抽出回路３３および静止可能性検出回路３４に送られる。
【００１７】
第２のフィールドメモリ１２から出力されるＮフィールドの輝度信号は、入力信号を１Ｈ（１水平期間）遅延させるためのラインメモリ２２、フィールド内垂直ズーム回路３２および垂直相関弱領域抽出回路３３に送られる。ラインメモリ２２によって１水平期間遅延された輝度信号は、入力信号を１Ｈ（１水平期間）遅延させるためのラインメモリ２３、フィールド内垂直ズーム回路３２および垂直相関弱領域抽出回路３３に送られる。
【００１８】
ラインメモリ２３によって１水平期間遅延された輝度信号は、フィールド内垂直ズーム回路３２および垂直相関弱領域抽出回路３３に送られる。
【００１９】
第３のフィールドメモリ１３から出力されるＮ−１フィールドの輝度信号は、入力信号を１Ｈ（１水平期間）遅延させるためのラインメモリ２４、垂直相関弱領域抽出回路３３および静止可能性検出回路３４に送られる。ラインメモリ２１によって１水平期間遅延された輝度信号は、垂直相関弱領域抽出回路３３および静止可能性検出回路３４に送られる。
【００２０】
垂直相関弱領域抽出回路３３は、各画素毎に垂直方向の相関が強いか否かを判定する。静止可能性検出回路３４は、各画素毎に、その領域の画像が静止している可能性を検出し、その検出結果と、垂直相関弱領域抽出回路３３による相関強弱判定結果とに基づいて、係数Ｋを決定する。垂直相関弱領域抽出回路３３および静止可能性検出回路３４の処理の詳細については後述する。
【００２１】
フレーム内垂直ズーム回路３１は、フレーム内垂直ズーム画像を生成する。フィールド内垂直ズーム回路３２は、フィールド内垂直ズーム画像を生成する。フレーム内垂直ズーム回路３１およびフィールド内垂直ズーム回路３２の処理の詳細については後述する。
【００２２】
フレーム内垂直ズーム回路３１から出力されるフレーム内垂直ズーム画像およびフィールド内垂直ズーム回路３２から出力されるフィールド内垂直ズーム画像は、動き適応加重加算回路４１に送られる。動き適応加重加算回路４１は、静止可能性検出回路３４によって決定された係数Ｋに基づいて、フレーム内垂直ズーム画像とフィールド内垂直ズーム画像とを加重加算する。原則的には、画像が静止している可能性が高い領域においては、フレーム内垂直ズーム画像の重みが大きくされ、画像が静止している可能性が低い領域においては、フィールド内垂直ズーム画像の重みが大きくされる。
【００２３】
動き適応加重加算回路４１から出力される垂直ズーム画像は、水平ズーム回路４２に送られて、水平ズーム処理が施された後、出力される。
【００２４】
一方、色信号Ｃは、第４のフィールドメモリ５１に蓄積される。第４のフィールドメモリ５１に１フィールド分の色信号が蓄積されると、第４のフィールドメモリ５１内の色信号は第５のフィールドメモリ５２に送られて蓄積される。
【００２５】
したがって、第２のフィールドメモリ１２にＮフィールドの輝度信号が蓄積されたときには、第５のフィールドメモリ５２にもＮフィールドの色信号が蓄積される。
【００２６】
第５のフィールドメモリ５２から出力されるＮフィールドの色信号は、フィールド内垂直ズーム回路５４に送られるとともに入力信号を１Ｈ（１水平期間）遅延させるためのラインメモリ５３に送られる。ラインメモリ５３によって１水平期間遅延された色信号は、フィールド内垂直ズーム回路５４に送られる。
【００２７】
フィールド内垂直ズーム回路５４は、フィールド内垂直ズーム画像を生成する。フィールド内垂直ズーム回路５４から出力されるフィールド内垂直ズーム画像は、水平ズーム回路５５に送られて、水平ズーム処理が施された後、出力される。
【００２８】
〔２〕フィールド内垂直ズーム回路３２の処理について説明
【００２９】
フィールド内垂直ズーム回路３２には、第２フィールドメモリ１２、ラインメモリ２２およびラインメモリ２３から、Ｎフィールドの３つの水平ライン分のデータが入力する。
【００３０】
図２は、フィールド内垂直ズーム回路３２の処理内容を示している。
【００３１】
図２の左側の３つの実線Ｆｌｄ２−ｏ１、Ｆｌｄ２−ｏ２およびＦｌｄ２−ｏ３は、ＮフィールドがＯＤＤフィールドである場合に、フィールド内垂直ズーム回路３２に入力される３つの水平ラインを示している。
【００３２】
フィールド内垂直ズーム回路３２では、水平ラインＦｌｄ２−ｏ１および水平ラインＦｌｄ２−ｏ２上において水平位置が等しい２つの画素の画素データを線形補間することによって、両水平ラインの間隔より間隔が狭い２本の仮想水平ライン上の２つの画素データを生成する。生成される２本の仮想水平ラインは、ＯＤＤフィールドに対する水平ラインである。
【００３３】
同様に、水平ラインＦｌｄ２−ｏ２および水平ラインＦｌｄ２−ｏ３上において水平位置が等しい２つの画素の画素データを線形補間することによって、両水平ラインの間隔より間隔が狭い２本の仮想水平ライン上の２つの画素データを生成する。生成される２本の仮想水平ラインは、ＯＤＤフィールドに対する水平ラインである。
【００３４】
ＮフィールドがＥＶＥＮフィールドである場合には、図２の左側に鎖線で示すようなＯＤＤフィールドでの隣り合う水平ライン（Ｆｌｄ３−ｅ１，Ｆｌｄ３−ｅ２）上において水平位置が等しい２つの画素の画素データを線形補間することによって、両水平ラインの間隔より間隔が狭い２本の仮想水平ライン上の２つの画素データを生成する。生成される２本の仮想水平ラインは、ＥＶＥＮフィールドに対する水平ラインである。
【００３５】
色信号に対する電子ズーム回路におけるフィールド内垂直ズーム回路５４も、輝度信号に対する電子ズーム回路におけるフィールド内垂直ズーム回路３２と同様な処理によって、色信号に対するフィールド内垂直ズーム画像を生成する。
【００３６】
〔３〕フレーム内垂直ズーム回路３１の処理について説明
【００３７】
フレーム内垂直ズーム回路３１には、第１フィールドメモリ１１およびラインメモリ２１からＮ＋１フィールドの２つの水平ラインと、ラインメモリ２２からＮフィールドの１つの水平ラインとの、計３つの水平ライン分のデータが入力する。
【００３８】
図３は、フレーム内垂直ズーム回路３１の処理内容を示している。
【００３９】
ＮフィールドがＯＤＤフィールドである場合に、Ｎフイールドの水平ラインＦｌｄ２−ｏ２と、Ｎ＋１フィールドの２つの水平ラインＦｌｄ３−ｅ１，Ｆｌｄ３−ｅ２とが、フレーム内垂直ズーム回路３１に入力されたとする。
【００４０】
フレーム内垂直ズーム回路３１では、水平ラインＦｌｄ３−ｅ１および水平ラインＦｌｄ２−ｏ２上において水平位置が等しい２つの画素の画素データを線形補間することによって、両水平ラインの間隔より間隔が狭い２本の仮想水平ライン上の２つの画素データを生成する。生成される２本の仮想水平ラインのうちの一方はＯＤＤフィールドに対する水平ラインであり、他方はＥＶＥＮフィールドに対する水平ラインである。
【００４１】
同様に、水平ラインＦｌｄ２−ｏ２および水平ラインＦｌｄ３−ｅ２上において水平位置が等しい２つの画素の画素データを線形補間することによって、両水平ラインの間隔より間隔が狭い２本の仮想水平ライン上の２つの画素データを生成する。
【００４２】
フィールド内垂直ズーム回路３２では同じフィールドの隣接する２つの水平ラインに基づいて垂直ズーム画像（フィールド内垂直ズーム画像）を生成しているのに対し、フレーム内垂直ズーム回路３１では種類の異なる２つのフィールドにおいて、隣接する２つの水平ラインに基づいて垂直ズーム画像（フレーム内垂直ズーム画像）を生成している。このため、フレーム内垂直ズーム画像は、フィールド内垂直ズーム画像に比べて、垂直解像度が高くなる。ただし、フレーム内垂直ズーム画像は、２つのフィールド間で垂直ズーム画像を生成するため、動きがある領域においては、動ボケを発生するおそれがある。
【００４３】
そこで、後述するように、この実施の形態では、垂直方向に画像が急激に変化しない領域では、フィールド内垂直ズーム画像を採用し、垂直方向に画像が急激に変化する領域では、画像が静止している可能性が高い領域ほど垂直解像度の高いフレーム内垂直ズーム画像の重みが大きくなるように、フィールド内垂直ズーム画像とフレーム内垂直ズーム画像とを加重加算するようにしている。
【００４４】
〔４〕垂直相関弱領域抽出回路３３についての説明
【００４５】
垂直相関弱領域抽出回路３３には、第１のフィールドメモリ１１およびラインメモリ２１からＮ＋１フィールドの２つの水平ラインと、第２のフィールドメモリ１２、ラインメモリ２２およびラインメモリ２３からＮフィールドの３つの水平ラインと、第３のフィールドメモリ１３およびラインメモリ２４からＮ−１フィールドの２つの水平ラインとの、計７つの水平ライン分のデータが入力する。
【００４６】
図４は、上記７つの水平ラインの対応する水平位置の画素を示している。
【００４７】
各画素をＡ〜Ｇで表し、その画素データをａ〜ｇで表すことにする。Ｎフィールドの中央ライン上の画素Ｄが注目画素（注目領域）である。
【００４８】
注目画素とその周辺画素との相関値Ｑ１〜Ｑ６を次のように定義する。
【００４９】
Ｑ１＝｜ｄ−ｃ｜
Ｑ２＝｜ｄ−ｅ｜
Ｑ３＝｜ｄ−ａ｜
Ｑ４＝｜ｄ−ｂ｜
Ｑ５＝｜ｄ−ｆ｜
Ｑ６＝｜ｄ−ｇ｜
【００５０】
相関値Ｑ１〜Ｑ６の値が大きいほど相関が弱く、相関値Ｑ１〜Ｑ６の値が小さいほど相関が強くなる。垂直相関弱領域抽出回路３３は、次の判定条件（１）を用いて、注目領域が垂直相関弱領域であるか垂直相関強領域か否かを判定する。
【００５１】
（Ｑ１＋Ｑ２＋Ｑ３＋Ｑ４）＋（Ｑ１＋Ｑ２＋Ｑ５＋Ｑ６）＞ｔｈ１…（１）
【００５２】
判定条件を満たしている場合には、注目領域が垂直方向の相関が弱い領域（垂直相関弱領域）、つまり、垂直方向に画像の急激な変化がある領域であると判定する。判定条件を満たしていない場合には、注目領域が垂直方向の相関が強い領域（垂直相関強領域）であると判定する。垂直相関弱領域抽出回路３３は、判定結果を静止可能性検出回路３４に通知する。
【００５３】
〔５〕静止可能性検出回路３４についての説明
【００５４】
静止可能性検出回路３４には、第１のフィールドメモリ１１およびラインメモリ２１からＮ＋１フィールドの２つの水平ラインと、第３のフィールドメモリ１３およびラインメモリ２４からＮ−１フィールドの２つの水平ラインとの、計４つの水平ライン分のデータが入力する。
【００５５】
図５は、上記４つの水平ラインと、注目領域（注目画素）Ｐとを示している。
【００５６】
図５には、Ｎ−１フィールドの２つの水平ライン上において、注目領域Ｐを中心とする６つの画素Ａ１〜Ａ６と、Ｎ＋１フィールドの２つの水平ライン上において、注目領域Ｐを中心とする６つの画素Ｂ１〜Ｂ６とが示されている。
【００５７】
両フィールドで、対応する画素どうし間の相関値｜Ａｉ−Ｂｉ｜（ｉ＝１，２，…，６）を算出する。そして、各相関値毎に｜Ａｉ−Ｂｉ｜≦ｔｈ１という条件を満たしているか否かを判定する。そして、６つの相関値のうち、上記条件を満たしている相関値の数Ｘをカウントする。カウント数Ｘが多いほど、画像が静止している可能性が高いと判定される。
【００５８】
静止可能性検出回路３４は、注目領域が垂直相関強領域と判定されたときには、係数Ｋを０に決定する。注目領域が垂直相関弱領域と判定されたときには、係数Ｋを、０以上１以下の範囲内（０≦Ｋ≦０）で、カウント数Ｘが大きいほど大きくなるように決定する。カウント数Ｘと係数Ｋとの関係は、たとえば、次のように設定される。
【００５９】
ｉｆ  Ｘ＝０  ｔｈｅｎ  Ｋ＝０．０
ｉｆ  Ｘ＝１  ｔｈｅｎ  Ｋ＝０．０
ｉｆ  Ｘ＝２  ｔｈｅｎ  Ｋ＝０．０
ｉｆ  Ｘ＝３  ｔｈｅｎ  Ｋ＝０．２５
ｉｆ  Ｘ＝４  ｔｈｅｎ  Ｋ＝０．５０
ｉｆ  Ｘ＝５  ｔｈｅｎ  Ｋ＝０．７５
ｉｆ  Ｘ＝６  ｔｈｅｎ  Ｋ＝１．０
【００６０】
静止可能性検出回路３４は、注目領域（注目画素）毎に、算出された係数Ｋおよび係数（１−Ｋ）を、動き適応加重加算回路４１に与える。
【００６１】
〔６〕動き適応加重加算回路４１についての説明
【００６２】
図６は、動き適応加重加算回路４１の構成を示している。
【００６３】
動き適応加重加算回路４１は、第１の乗算器６１、第２の乗算器６２およびそれらの乗算器６１、６２の出力を加算する加算器６３から構成されている。
【００６４】
第１の乗算器６１には、フレーム内垂直ズーム回路３１から出力されるフレーム内垂直ズーム画像データが入力する。また、第１の乗算器６１には、静止可能性検出回路３４から係数Ｋが与えられる。第１の乗算器６１は、フレーム内垂直ズーム画像データに係数Ｋを乗算する。
【００６５】
第２の乗算器６２には、フィールド内垂直ズーム回路３２から出力されるフィールド内垂直ズーム画像データが入力する。また、第２の乗算器６２には、静止可能性検出回路３４から係数（１−Ｋ）が与えられる。第２の乗算器６２は、フィールド内垂直ズーム画像データに係数（１−Ｋ）を乗算する。
【００６６】
第１の乗算器６１の出力と第２の乗算器６２の出力とは、加算器６３によって加算される。加算器６３の加算結果は、動き適応垂直ズーム画像データとして出力される。
【００６７】
上述したように、注目領域が垂直相関強領域と判定されたときには、係数Ｋは０に設定される。注目領域が垂直相関弱領域と判定されたときには、係数Ｋは、０以上１以下の範囲内（０≦Ｋ≦０）で、カウント数Ｘが大きいほど大きくなるように決定される。
【００６８】
したがって、垂直方向に画像の急激な変化がない領域では、フィールド内垂直ズーム画像データが動き適応加重加算回路４１から出力される。垂直方向に画像の急激な変化がある領域である場合には、その領域の画像が静止している可能性が高いほど、垂直解像度が高いフレーム内垂直ズーム画像データの重みが大きくなるように、フレーム内垂直ズーム画像データとフィールド内垂直ズーム画像データとが加重加算される。
【００６９】
なお、動き適応加重加算回路４１として、垂直相関強領域または垂直相関弱領域でかつ画像が静止している可能性が低い領域に対しては、フィールド内垂直ズーム画像のみを選択して出力し、垂直相関弱領域でかつ画像が静止している可能性が高い領域に対しては、フレーム内垂直ズーム画像を選択して出力するものを用いてもよい。
【００７０】
上記実施の形態では、垂直相関弱領域抽出回路３３が設けられているが、垂直相関弱領域抽出回路３３を省略し、静止可能性検出回路３４による画像が静止している可能性の検出結果のみに基づいて、動き適応加重加算回路４１の係数Ｋを算出するようにしてもよい。この場合には、画像が静止している可能性が高いほど係数Ｋが大きくなるように係数Ｋを決定する。
【００７１】
あるいは、画像が静止している可能性が高い領域に対しては、フレーム内垂直ズーム画像を選択して出力させ、画像が静止している可能性が低い領域に対しては、フィールド内垂直ズーム画像を選択して出力させるようにしてもよい。
【００７２】
【発明の効果】
この発明によれば、垂直解像度の高いズーム映像が得られかつ動ボケの発生を防止できるようになる。
【図面の簡単な説明】
【図１】ＣＣＤカメラの電子ズーム回路の構成を示すブロック図である。
【図２】フィールド内垂直ズーム回路３２の処理内容を示す模式図である。
【図３】フレーム内垂直ズーム回路３１の処理内容を示す模式図である。
【図４】垂直相関弱領域抽出回路３３の処理を説明するための模式図である。
【図５】静止可能性検出回路３４の処理を説明するための模式図である。
【図６】動き適応加重加算回路４１の詳細な構成を示す回路図である。
【符号の説明】
１１、１２、１３  フィールドメモリ
２１、２２、２３、２４  ラインメモリ
３１  フレーム内垂直ズーム回路
３２  フィールド内垂直ズーム回路
３３  垂直相関弱領域抽出回路
３４  静止可能性検出回路
４１  動き適応加重加算回路
【図１】
0003802371.tif 000002
【図２】
0003802371.tif 000003
【図３】
0003802371.tif 000004
【図４】
0003802371.tif 000005
【図５】
0003802371.tif 000006
【図６】
0003802371.tif 000007